(57)【特許請求の範囲】
【請求項１】
箱本体の長手方向に沿って開封片を切り取ることによって箱本体を開封可能なラップフィルム収納箱であって、
前記箱本体には、前記開封片を接着する接着部が長手方向に沿って複数設けられ、
前記開封片には、切り取り方向に対し垂直な縦型のエンボスが設けられ、
前記エンボスは、少なくとも前記切り取り方向に対し最も前方にある前記接着部の後方側近傍に対応する位置に設けられている、ラップフィルム収納箱。
【請求項２】
前記エンボスは、前記各接着部の後方側近傍に対応する位置に設けられている、請求項１に記載のラップフィルム収納箱。
【請求項３】
箱本体の長手方向に沿って開封片を切り取ることによって箱本体を開封可能なラップフィルム収納箱であって、
前記箱本体には、前記開封片を接着する接着部が長手方向に沿って複数設けられ、
前記開封片には、切り取り方向に沿った横型のエンボスが設けられ、
前記エンボスは、少なくとも前記接着部の前記切り取り方向の後方端を跨ぐような位置に設けられている、ラップフィルム収納箱。
【請求項４】
前記エンボスは、少なくとも前記接着部の前記切り取り方向の後方側近傍から前方側近傍に亘る位置に設けられている、請求項３に記載のラップフィルム収納箱。
【請求項５】
前記エンボスは、前記切り取り方向に対し最も後方の前記接着部より後方側から最も前方の前記接着部より前方側に亘る位置に設けられている、請求項４に記載のラップフィルム収納箱。
【請求項６】
前記エンボスは、複数本の線状の凹みからなる、請求項１〜５のいずれかに記載のラップフィルム収納箱。
【請求項７】
前記エンボスは、前記開封片の前面側が凹み、裏面側が突出するように形成されている、請求項１〜６のいずれかに記載のラップフィルム収納箱。
【請求項８】
前記開封片に対応する前記箱本体の前記接着部以外の部分には、ニスが塗布されている、請求項１〜７のいずれかに記載のラップフィルム収納箱。
【請求項９】
前記エンボスと前記接着部の後方端との距離が、２ｃｍ以内である、請求項１又は２に記載のラップフィルム収納箱。
【発明の詳細な説明】
【技術分野】
【０００１】
本発明は、特に食品包装用のラップフィルム、アルミホイル、クッキングシート等（以下、ラップフィルムと称す）を巻回したラップフィルム収納箱の開封片に関する。
【背景技術】
【０００２】
ラップフィルムは、通常、紙製の芯体に巻回された巻筒体が、紙製の直方体の箱に収納されており、糊材等でラップフィルム収納箱の前板部分に接着されている開封片を切り取ることで、ラップフィルムの使用に先立ち蓋の開閉が可能になる。ラップフィルムの切断手段としては金属、紙、樹脂製の鋸刃が知られており、上記鋸刃は掩蓋片の先端部に配置されるのが一般的であるが、底板の前板側縁部、前板の上縁部に配置される場合もある。
【０００３】
このようなラップフィルム収納箱には、消費者にわたるまでの流通段階では開封することなく、一方で消費者の使用時には開封片の取り外しが容易で、且つラップフィルム収納箱の外観品位を保ち、見苦しい剥離状態にならないという、相反する要求があり、種々の提案がなされている。
【０００４】
例えば図１６に示すようにラップフィルム収納箱１に設けられている開封片２０は、切り取り線２１および半円切れ目４０を有している。一方、開封片２０が接着する前板１４の接着部３０には、円形あるいは楕円形状の半切れ線３１と、その半切れ線３１の内側に非ニス塗布部を有している。このような設計により、開封片２０を一方の方向（図１６においては右側から左側）へ剥がす（切り取る）ことで、前板１４の半切れ線３１部分で層間剥離（前板１４は、多数層で構成されており、そのいずれかの層間での剥離。）を起こし、開封することができる。開封片２０の半円切れ目４０は、前板１４の半切れ線３１部分で層間剥離が起こらずに開封片２０側で層間剥離が起こった場合にその剥離を遮断する効果がある。
【０００５】
特許文献１記載の技術では、前板の半切れ線部分で層間剥離を起こしやすいように接着部の形状を偏平化した楕円形状としたものがある。また、特許文献２の技術では、古紙層に接着剤を浸透させる工程を設けるものがある。さらには、特許文献３の技術では、開封片右端に突条を設ける包装用容器が提案されている。
【先行技術文献】
【特許文献】
【０００６】
【特許文献１】特許第３１４２９６９号公報
【特許文献２】特許第３９５５３８７号公報
【特許文献３】特開平１０−２３０９３３号公報
【発明の概要】
【発明が解決しようとする課題】
【０００７】
上述の特許文献１記載の技術では、接着部の形状を偏平化した楕円形状とすることで、帯状に塗布する接着剤量を有効利用するのに効果的であり、局部層剥離を起こしやすくしている。これにより開封片を前板側の接着部から取り外しやすくなる。しかし、この場合でも、接着部の接着力により、開封中に開封片が局所的に折れ、その折れた部分で開封片自体の強度が低下したり、開封片が、接着剤との接着側の表層から裂け始めたりすることがあり、その結果、開封片が途中でちぎれることがある。特に、開封片の切り取りの後半では、開封片のつまみ部分と、切り取り中の部分が離れるため、切り取り操作が安定しなかったり、また開封片の切り取り角度が大きくなり、開封片が折れやすくなったりする。これにより、開封片自体の強度が低下したり、さらには開封速度が増すため、より大きな応力がかかり、開封片にちぎれが生じやすい。
【０００８】
また、特許文献２の技術では、古紙層に接着剤を浸透させることで、剥離の制御を行っているが、上記と同様に、開封片のちぎれの根本的な解決には至っていない。
【０００９】
一方、特許文献３の技術では、開封片に設けた突条は、目の不自由な者への正しい開封方向の誘導であり、開封片のちぎれや外観不良といった問題に対する効果の言及はされていない。
【００１０】
本発明は、開封時の開封片のちぎれを防止して、ラップフィルム収納箱の外観品位を保ち、見苦しい切り取り状態にならないラップフィルム収納箱を提供することを目的とする。
【課題を解決するための手段】
【００１１】
本発明者等は、鋭意研究を重ねた結果、開封片にエンボス加工を配することで上記の種々の課題が解決されることを見出し、本発明をなすに至った。すなわち、本発明は下記（１）〜（７）を提供する。
（１）箱本体の長手方向に沿って開封片を切り取ることによって箱本体を開封可能なラップフィルム収納箱であって、前記箱本体には、前記開封片を接着する接着部が長手方向に沿って複数設けられ、前記開封片には、切り取り方向に対し垂直な縦型のエンボスが設けられ、前記エンボスは、少なくとも前記切り取り方向に対し最も前方にある前記接着部の後方側近傍に対応する位置に設けられている、ラップフィルム収納箱。なお、本明細書において、切り取り方向に対し前方とは、切り取り終了側であり、後方とは、切り取り開始側である。
（２）前記エンボスは、前記各接着部の後方側近傍に対応する位置に設けられている、（１）に記載のラップフィルム収納箱。
（３）箱本体の長手方向に沿って開封片を切り取ることによって箱本体を開封可能なラップフィルム収納箱であって、前記箱本体には、前記開封片を接着する接着部が長手方向に沿って複数設けられ、前記開封片には、切り取り方向に沿った横型のエンボスが設けられ、前記エンボスは、少なくとも前記接着部の前記切り取り方向の後方端を跨ぐような位置に設けられている、ラップフィルム収納箱。
（４）前記エンボスは、少なくとも前記接着部の前記切り取り方向の後方側近傍から前方側近傍に亘る位置に設けられている、（３）に記載のラップフィルム収納箱。
（５）前記エンボスは、前記切り取り方向に対し最も後方の前記接着部より後方側から最も前方の前記接着部より前方側に亘る位置に設けられている、（４）に記載のラップフィルム収納箱。
（６）前記エンボスは、複数本の線状の凹みからなる、（１）〜（５）のいずれかに記載のラップフィルム収納箱。
（７）前記エンボスは、前記開封片の前面側が凹み、裏面側が突出するように形成されている、（１）〜（６）のいずれかに記載のラップフィルム収納箱。
【発明の効果】
【００１２】
本発明によれば、開封時の開封片のちぎれを防止できるので、開封不良で見苦しい状態にならず、開封後の外観品位は非常に良好なものである。また開封片のちぎれを防止することで、再度開封を試みる場合の、ラップフィルム収納箱に固定した切断具近傍での操作を抑制できるため、安全性も高められる。
【図面の簡単な説明】
【００１３】
【図１】ラップフィルム収納箱を示す概略斜視図である。
【図２】ラップフィルム収納箱の展開図を示す概略平面図である。
【図３】縦型のエンボスを有するラップフィルム収納箱の正面図である。
【図４】開封片のエンボスの拡大断面図である。
【図５】ラップフィルム収納箱の開封時の状態を示す概略斜視図である。
【図６】開封時の開封片の状態を示す説明図である。
【図７】従来の開封時の開封片の状態を示す説明図である。
【図８】各接着部に対しエンボスがある場合のラップフィルム収納箱の正面図である。
【図９】接着部の両側にエンボスがある場合のラップフィルム収納箱の正面図である。
【図１０】接着部の内側にエンボスがある場合のラップフィルム収納箱の正面図である。
【図１１】横型のエンボスを有するラップフィルム収納箱の正面図である。
【図１２】開封時の開封片の状態を示す説明図である。
【図１３】接着部を横断するエンボスがある場合のラップフィルム収納箱の正面図である。
【図１４】開封片の全幅に亘りエンボスを有するラップフィルム収納箱の正面図である。
【図１５】実施例と比較例の評価を示す表である。
【図１６】従来のラップフィルム収納箱を示す概略斜視図である。
【発明を実施するための形態】
【００１４】
本発明について、以下具体的に説明する。なお、以下の実施の形態は、本発明を説明するための例示であり、本発明はその実施の形態のみに限定されるものではない。なお、同一の要素には同一の符号を付し、重複する説明を省略する。また、図面中、上下左右等の位置関係は、特に断らない限り、図面に示す位置関係に基づくものとする。さらに、図面の寸法比率は、図示の比率に限定されるものではない。
【００１５】
図１はラップフィルム収納箱を示す概略斜視図であり、図２は図１のラップフィルム収納箱を展開した表面を示す展開図である。
【００１６】
図１及び図２に示すようにラップフィルム収納箱１は、全体が直方体形状を有し、例えば掩蓋片１０、蓋板１１、脇掩蓋片１２等からなる蓋部１３と、前板１４、底板１５、後板１６、脇板１７、折り返し板１８等からなるフィルム収容部１９を有している。折り返し板１８は、前板１４の上縁に接続され収納箱１の内側に折り返す部分である。フィルム収容部１９には、例えば円筒状の芯体に巻かれたラップフィルムを収容できる。
【００１７】
なお、ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００１８】
ラップフィルム収納箱１の前面には、使用前に蓋部１３を封鎖し使用時に開封するための開封片２０が設けられている。開封片２０は、収納箱１の長手方向に沿った帯状に形成され、掩蓋片１０の先端に切り取り線２１を介して接続されている。掩蓋片１０の先端部の裏面側には、収納箱１の長手方向に沿って金属製鋸刃２２がカシメ爪でカシメ固定されている。使用時にフィルム収納部１９から所望量引き出されたラップフィルムは、この金属製鋸刃２２により切断される。なお、このラップフィルムの切断具の材質は金属、プラスチック、バルカナイズドファイバー等、切断具の形状は直線状、Ｖ状、アーチ状等従来公知のものであれば特に制限はない。また、切断具が配備されている部位は、掩蓋片１０の先端縁部、その他前板１４の上縁部、底板１５と前板１４の間の稜線部いずれでも構わない。
【００１９】
図２及び図３に示すように前板１４の下部には、開封片２０を接着する複数の接着部３０が長手方向に沿って並べて設けられている。接着部３０は、その外縁に円形あるいは楕円形状の半切れ線３１が形成されている。接着部３０の半切れ線３１の内側が、開封片２０の裏面に塗布された接着剤により開封片２０に接着される。開封片２０に対応する前板１４の接着部３０以外の部分には、ニスが塗布されており、開封片２０の接着剤には接着しない。
【００２０】
図３に示すように開封片２０には、エンボス加工により、切り取り方向Ｘに対し垂直な縦型のエンボス５０が設けられている。エンボス５０は、切り取り方向Ｘの最も前方の接着部３０（以下、「最前接着部３０Ａ」とする。）の後方側近傍に対応する位置に設けられている。エンボス５０と接着部３０の後方端３０ｂとの距離は、２ｃｍ以内が好ましい。エンボス５０は、複数、例えば２本の直線状の凹部からなり、例えば図４に示すように表面側が凹み、裏面側が突出している。エンボス５０は、裏面側に他の部分よりも０．０５ｍｍ以上突出することが好ましい。より好ましくは、０．１０ｍｍ以上であり、原紙が破れない程度に深くすることで、よりエンボス５０による効果が得られやすい。
【００２１】
エンボス５０の形状等は特に限定されるものではないが、長方形か楕円形状でもよい。長方形の場合、その四隅は丸くなっていてもよい。
【００２２】
開封片２０には、前板１４の接着部３０に対応する位置に、半円切れ目４０が形成されていてもよく、かかる場合、仮に開封片２０の接着部分に層関剥離が起きた場合にその半円切れ目４０で剥離が止められる。なお、この半円切れ目４０はなくてもよい。
【００２３】
以上のラップフィルム収納箱１を開封する際には、図５に示すように開封片２０が一端から切り取り方向Ｘに沿って切り取られる。この際開封片２０のつまみ側が切り取り方向Ｘに折り返されて引っ張られる。このとき前板１４の接着部３０では、半切れ線３１によりその内側に層間剥離が生じ、接着部３０の表面層３０Ｃ側が開封片２０と共に前板１４側から離れて、開封片２０が切り取られていく。開封片２０の切り取り部分が、接着部３０に差し掛かるときに、その接着力により開封片２０に応力（抵抗）がかかる。特に最前接着部３０Ａに差し掛かるときには、開封片２０の切り取り部分がつまみ部分と離れており、切り取り操作が安定しなかったり、また開封片の切り取り角度が大きくなるため、開封片が折れやすく、開封片自体の強度が低下したり、さらには切り取り速度が増すため、より大きな応力がかかったりする。
【００２４】
本実施の形態によれば、少なくとも最前接着部３０Ａの後方側近傍にエンボス５０が形成されているので、開封片２０の切り取り時に、接着部３０の直前で開封片２０に応力が働いても、エンボス５０部分で応力が分散され、開封片が折れても開封片に亀裂が生じたり、裂けたりするような状態にはならず、開封片２０のちぎれが防止される。
【００２５】
特に図６に示すように、エンボス５０を複数本形成すると、開封片２０の切り取り時に比較的緩やかな曲がりが生じて、開封片２０全体の折り返し角度が確保され、各エンボス５０部分での応力は小さくできるため、開封片２０の亀裂の発生等をより効果的に防止できる。この結果、例えば図７に示すように開封片２０が局所的に鋭角に折れて亀裂が生じたり裂けたりするようなことがなく、開封片２０のちぎれが防止される。よって、開封後もラップフィルム収納箱１の外観品位が維持され、また使い勝手も良い。
【００２６】
また、エンボス５０は、開封片２０の前面側が凹み、裏面側が突出するように形成されている。この場合エンボス５０の強度と曲がりが十分に確保され、後述の実施例でも示されるように開封片２０のちぎれがより効果的に防止される。
【００２７】
前記実施の形態において、エンボス５０が最前接着部３０Ａの後方側の近傍にのみ設けられていたが、図８に示すようにすべての接着部３０の後方側の近傍に対してそれぞれ設けられていてもよい。この場合、各接着部３０において開封片２０が裂けてちぎれることが防止される。
【００２８】
なお、エンボス５０は、全部の接着部３０に対して設けられていなくてもよく、少なくとも最前接着部３０Ａの後方側近傍を含む複数の接着部３０に対して設けられていてもよい。また、開封片２０が両側から切り取り可能に構成されている場合、図９に示すように開封片２０に沿った両方向が切り取り方向Ｘとなるため、切り取り方向Ｘに対し接着部３０の後方側近傍、つまり接着部３０の両側の近傍に対してエンボス５０が設けられていてもよい。また、図１０に示すようにエンボス５０は、接着部３０の外側だけでなく、接着部３０の内に対応する位置にも設けられていてもよい。さらに、エンボス５０は、２本に限られず、単数であってもよいし、３本以上であってもよい。
【００２９】
以上の実施の形態では、開封片２０に縦型のエンボス５０が形成されていたが、開封片２０の切り取り方向Ｘに沿った横型のエンボスが形成されていてもよい。
【００３０】
例えば図１１に示すようにエンボス６０は、接着部３０の切り取り方向Ｘの後方端３０ｂを跨ぐような開封片２０の位置に設けられる。エンボス６０のある部分は強度が高くなり曲がりが抑制されるため、図１２に示すように開封片２０の切り取りが、最も抵抗のある接着部３０の後方端３０ｂに差し掛かるときに、開封片２０の折れが抑制される。このため、接着部３０において開封片２０が裂けてちぎれることが防止される。
【００３１】
前記実施の形態において、横型のエンボス６０は、図１３に示すように接着部３０に対し切り取り方向Ｘの後方側近傍から前方側近傍に亘る位置に設けられていてもよい。こうすることにより、開封が接着部３０に差し掛かり通り過ぎるときに、開封片２０の折れが確実に防止され、開封片２０のちぎれが防止される。
【００３２】
また、前記実施の形態において、図１４に示すように横型のエンボス６０が、最も切り取り開始側に近い最後接着部３０Ｂの後方側から、最前接着部３０Ａの前方側に亘って、開封片２０の長手方向のほぼ全幅に形成されていてもよい。この場合、開封片２０の折れがより確実に防止される。
【００３３】
なお、横型のエンボス６０の本数も任意に選択できる。また、横型のエンボス６０も開封片２０の前面側が凹み、裏面側が突出するように形成されていてもよい。
【００３４】
以上の実施形態における接着部３０の数は、特に限定されないが、前板１４の下部のニス塗布部に２〜１０個の接着部を設けていることが好ましい。こうすることで、流通段階での封止性を十分に確保できる。また、接着部３０を複数個所設けることで、各接着部３０の接着強度を必要以上に上げる必要がないため、開封片２０で開封する際の抵抗を極力抑えることができる。さらには、接着部３０の痕も制限しているため、外観品位の低下にはつながりにくい。接着部３０の形態としても、面積を制限する方法、あるいは前板１４の接着部３０の周囲に半切れ加工を施す方法、前板１４の接着部３０の周囲に切れ線を施し刳り貫く方法等のいずれの方法であっても構わない。また、接着部３０の形状も、特に限定されないが、円形、楕円形、三角形、四角形、偏平化した楕円形、ラップフィルムの収納箱１の幅方向で非対称に偏平化した楕円形、開封片２０の剥がし開始側が広い状態に倒した三角形や涙形あるいは開封片２０の剥がし開始側を狭い状態に倒した三角形や涙形等でもよい。
【００３５】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【実施例】
【００３６】
以下、実施例及び比較例を挙げて、本発明を詳細に説明するが、本発明はこれらに限定されるものではない。
【００３７】
まず、実施例及び比較例で用いた評価方法について説明する。
［評価方法］
各実施例と比較例のサンプルの開封片の切り取り（剥離）を行った。条件としては、開封片のつまみ位置から切り取り点と、前板とのなす角は９０°および１８０°の２種類とし、切り取り速度は２０ｃｍ／秒程度のゆっくりとした速度で各々５０回実施した。この開封後のサンプルを観察し、下記のような評価を行い、その結果を図１５の表に示した。
（１）各接着部状況比率
Ａ：きれいに剥離
Ｂ：一部残る
Ｃ：ほとんど残る／剥がれない
（２）総合評価
◎：非常に良好
○：良好（２割以下の不具合発生）
△：不良（２割以上、５割以下の不具合発生）
×：非常に不良（５割以上の不具合発生）
【００３８】
［実施例１］
原紙はコートボール紙（王子板紙（株）社製サンコート（登録商標））の坪量５５０ｇ／ｍ2を用い、基本設計を旭化成ホームプロダクツ（株）社製サランラップ（登録商標）の銘柄３０ｃｍ×５０ｍとした。この開封片の両端５ｍｍの位置から横方向に幅２ｍｍの横型のエンボスを１本配し、エンボスの深さは裏面突出を０．１０ｍｍとした。その長手方向各面を折り曲げて開封片を前板上に糊材（ヘンケルジャパン（株）社製インスタントロック（登録商標））で貼り付け、その後側面部も糊材で貼り付けて直方体状のラップフィルム収納箱を組み立てた。
【００３９】
［実施例２］
実施例１と同様の設計で相違は、開封片の接着部と一致する位置４箇所に、横方向で、幅２ｍｍ、長さ２１ｍｍ（左右に３ｍｍずつ伸ばす）の横型のエンボスを配した。エンボスの深さは裏面突出を０．１０ｍｍとした。
【００４０】
［実施例３］
原紙はコートボール紙（王子板紙（株）社製サンコート（登録商標））の坪量５５０ｇ／ｍ2を用い、基本設計を旭化成ホームプロダクツ（株）社製サランラップ（登録商標）の銘柄３０ｃｍ×５０ｍとした。また、エンボス加工は縦方向とし、開封片の接着部と一致する箇所の剥がし開始側の端を基準に左右８ｍｍの位置に幅２ｍｍ、長さ８ｍｍの縦型のエンボスを配した。エンボス加工の深さは裏面突出を０．１０ｍｍとした。その長手方向各面を折り曲げて開封片を前板上に糊材（ヘンケルジャパン（株）社製インスタントロック（登録商標））で貼り付け、その後側面部も糊材で貼り付けて直方体状のラップフィルム収納箱を組み立てた。
【００４１】
［実施例４］
実施例１と同様の設計で相違は、エンボスの深さは裏面突出を０．０４ｍｍとした。
【００４２】
［比較例１］
原紙はコートボール紙（王子板紙（株）社製サンコート（登録商標））の坪量５５０ｇ／ｍ2を用いた、旭化成ホームプロダクツ（株）社製サランラップ（登録商標）の銘柄３０ｃｍ×５０ｍを使用した。すなわち、開封片にはエンボス加工はしなかった。その長手方向各面を折り曲げて開封片を前板上に糊材（ヘンケルジャパン（株）社製インスタントロック（登録商標））で貼り付け、その後側面部も糊材で貼り付けて直方体状のラップフィルム収納箱を組み立てた。
【００４３】
［比較例２］
原紙はコートボール紙（王子板紙（株）社製サンコート（登録商標））の坪量５５０ｇ／ｍ2を用いた、旭化成ホームプロダクツ（株）社製サランラップ（登録商標）の銘柄３０ｃｍ×５０ｍを使用した。また、エンボス加工は縦方向とし、開封片のつまみ側の端から５ｍｍに幅２ｍｍ、長さ８ｍｍの縦型のエンボスを５ｍｍ間隔で３本配した。エンボス加工の深さは裏面突出０．１０ｍｍとした。その長手方向各面を折り曲げて開封片を前板上に糊材（ヘンケルジャパン（株）社製インスタントロック（登録商標））で貼り付け、その後側面部も糊材で貼り付けて直方体状のラップフィルム収納箱を組み立てた。
【００４４】
実施例１、２では、開封片へのエンボス加工を横方向に配したことで、開封片が折り曲がりにくく、開封片の折れによる極端な強度低下が見られず、開封片ちぎれは発生しなかった。また、これに伴う、各接着部の外観も良好なものとなった。実施例３では、開封片へのエンボス加工を縦方向に配したことで、開封片が折り曲がっても開封片の裂けが生じず、かつ切り取るときの角度を制御するため、開封条件の影響を受けにくく、開封片ちぎれは発生しなかった。実施例４では、実施例１と同様の効果が見られるものの、エンボスの深さが浅いため、全体として効果は低い傾向にあった。一方、比較例１では、開封条件の影響を大きく受け、開封角度が１８０°の場合に、開封片ちぎれが発生した。また、比較例２では、開封片のつまみ部にエンボス加工を配しているので、つまみ位置の視認性は上がるものの、局所的なエンボス加工では、全体として開封性の向上には効果が見られなかった。
【産業上の利用可能性】
【００４５】
以上詳述したとおり、本発明のラップフィルム収納箱は、流通段階での封止性に優れ、かつ消費者の使用時には良好な開封性を示すラップフィルム収納箱として好適に利用できる。
【符号の説明】
【００４６】
１  ラップフィルム収納箱
１０  掩蓋片
１１  蓋板
１２  脇掩蓋片
１３  蓋部
１４  前板
１５  底板
１６  後板
１７  脇板
１８  折り返し板
１９  フィルム収容部
２０  開封片
２１  切り取り線
２２  鋸刃
３０  接着部
３１  半切れ線
４０  半円切れ目
５０、６０  エンボス
Ｘ  切り取り方向
【図１】
0005717415.tif 000002
【図２】
0005717415.tif 000003
【図３】
0005717415.tif 000004
【図４】
0005717415.tif 000005
【図５】
0005717415.tif 000006
【図６】
0005717415.tif 000007
【図７】
0005717415.tif 000008
【図８】
0005717415.tif 000009
【図９】
0005717415.tif 000010
【図１０】
0005717415.tif 000011
【図１１】
0005717415.tif 000012
【図１２】
0005717415.tif 000013
【図１３】
0005717415.tif 000014
【図１４】
0005717415.tif 000015
【図１５】
0005717415.tif 000016
【図１６】
0005717415.tif 000017